(57)【特許請求の範囲】
【請求項１】
被撮影物を撮像する撮像部と、
前記撮像部から出力される映像信号を前記撮像部の撮影写角に似たビーム形の指向性を持った空中線を用いて無線送信する送信部とを備える固定の映像撮像手段と、
前記映像撮像手段からの映像信号を受信する受信部と、
前記受信部で取得した映像を記録する記録部とを備え前記被撮影物とともに移動する映像記録手段と、
映像記録手段の受信部で取得した信号を、受信電界強度が予め設定した値を超える期間のみ記録部に記録させる電界強度検出部を映像記録手段を備えた
映像撮影記録装置。
【請求項２】
被撮影物を撮像する撮像部と、
音声を取得して音声信号とする音声取得手段と、
を備える請求項１に記載の映像撮影記録装置。
【請求項３】
前記映像撮像手段を複数個配設し、
映像撮像手段に記録の開始時点を検出する開始点検出部を備え、
送信部から送信される信号を映像記録手段の受信部で受信し、
記録部への記録を開始させることを特徴とする
請求項１または請求項２記載の映像撮影記録装置。
【発明の詳細な説明】
【０００１】
【発明の属する技術分野】
本発明は移動する物体を撮影した映像を被写体側に無線伝送して記録する映像撮影記録装置に関するものである。
【０００２】
【従来の技術】
従来、この種の映像撮影記録装置は、移動する物体または人物を撮影する固定の撮像部と、撮影された映像を伝送する手段と、伝送された映像を受信して記録する固定の記録部とを備え、その記録を画像化し、被撮影者または被写体の関係者に提供するというものであった。
【０００３】
【発明が解決しようとする課題】
しかし、このような従来の映像撮影記録装置では、連続して到来する被写体が多数であるため、被撮影者または被写体の関係者を特定することが困難であるという問題があった。
【０００４】
本発明はこのような問題を解決するためになされたもので、被撮影者または被写体の関係者を特定する作業を必要としない、優れた映像撮影記録装置を提供するものである。
【０００５】
【課題を解決するための手段】
本発明の映像記録装置は、被撮影物を撮像する撮像部と、前記撮像部から出力される映像信号を前記撮像部の撮影写角に似たビーム形の指向性を持った空中線を用いて無線送信する送信部とを備える固定の映像撮像手段と、前記映像撮像手段からの映像信号を受信する受信部と、前記受信部で取得した映像を記録する記録部とを備え前記被撮影物とともに移動する映像記録手段と、映像記録手段の受信部で取得した信号を、受信電界強度が予め設定した値を超える期間のみ記録部に記録させる電界強度検出部を映像記録手段とからなる構成を有している。
【０００６】
また、被撮影物を撮像する撮像部と、音声を取得して音声信号とする音声取得手段と、前記撮像部および前記音声取得手段から出力される映像音声信号を無線送信する送信部とを備える固定の映像撮像手段と、映像撮像手段からの映像音声信号を受信する受信部と、前記受信部で取得した映像と音声を記録する記録部とを備え被撮影物とともに移動する映像記録手段とからなる構成を有している。
【０００９】
更にまた、前記映像撮像手段を複数個配設し、前記の映像撮像手段に記録の開始時点を検出する開始点検出部を加え備えた構成を有している。
【００１０】
これらの構成により、移動する被撮影物自体が撮影された映像データを所持するので、被撮影者または被写体の関係者を特定する作業を必要としないこととなる。
【００１１】
【発明の実施の形態】
以下、本発明の実施の形態について、図面を用いて説明する。
【００１２】
図１は本発明の映像撮影記録装置の概略を示す図である。図１において、１は車両や歩行者等の移動体が通過するコースであり、２はコース１に沿って固定的に配置された映像撮像手段であって、コースを撮影し、その映像を無線送信する機能を有するものであり、ここではＡ〜Ｌの１２地点への配置例を示している。３はコース１の上を移動する車両、船舶、航空機または歩行者等の移動体に携帯または搭載された映像記録手段であり、映像撮像手段２からの電波を受信し、映像信号を得て記録媒体に記録する機能を有するものである。各映像撮像手段２の周囲に円形で示された４は送信電波による伝送範囲を示すものである。
【００１３】
図２は本発明の映像撮影記録装置の動作の流れを示すフロー図である。図１と図２を用いて動作の概要を説明する。
【００１４】
例えばテーマパークにおいて、観客と映像記録手段３とを載せた移動体がＡ地域の映像撮像手段２の撮影範囲内に到達すると（Ｓ１）、その観客は被写体として撮影され（Ｓ２）、その映像信号が電波に載せて送信される（Ｓ３）。移動体上の映像記録手段３ではその電波を受信し（Ｓ４）、取得した映像を記録媒体に記録する（Ｓ５）。記録媒体としてビデオテープ、ハードディスク、フロッピーディスク、ＺＩＰ、ＭＤ、ＣＤ、ＤＶＤ、ＩＣカードまたはフラッシュメモリーカード等を使用することができる。撮影が動画の場合は、映像撮像手段２を常時、撮影し、送信する状態とすれば、映像記録手段３が伝送範囲４内に存在する間だけ、自分の映像を記録することができる。また、次の撮影地域に到達すれば（Ｓ６、Ｓ１）、そこでの自分の映像を記録し、次々と異なる場面での自分の映像を記録できるものである。この記録された記録媒体はテーマパークの入り口または出口付近で購入したり、返却して希望する映像のプリントを購入する等のサービスへの応用も考えられる。ここで、受信可能な期間、映像を記録する場合について説明したが（第１の実施の形態）、この他に、画面上の予め設定した位置に移動体が到達したことを検知する手段や、赤外線ビームによる地点通過検出手段等による開始点検出部と終了点検出部とを設け、開始点から終了点までの間のみ撮影、送信し、受信、記録するという方法も適用できるものである。また、撮影が静止画の場合は、撮影に最適な位置に移動体が到達したことを検出する開始点検出部を設け、その検出出力によって撮影することもできる（第５の実施の形態）。
【００１５】
なお、図１において、伝送範囲４を円形つまり無指向性の送信空中線の場合としたが、撮影写角に似たビーム形の指向性を持った空中線を用いることもできる。
【００１６】
なおまた、以上では映像信号のみについて述べたが、映像撮像手段２にマイクロホン等の音声取得手段を付加することによって、映像信号と音声信号とをともに伝送し、記録することができる（第２の実施の形態）。
【００１７】
図３は本発明の映像撮像手段２の回路構成を示すブロック図であり、図３（ａ）は第１、第２の実施の形態を示す基本的な構成、図３（ｂ）は第５の実施の形態を示す開始点検出部を備えた場合の構成である。図３において、１１は撮像部すなわちカメラであり、１２は音声取得手段すなわちマイクロホンであり、１３は撮像部１１からの映像信号と音声取得手段１２からの音声信号とを電波として送信する送信部であり、１４は送信用空中線である。また、図３（ｂ）の１５は予め設定した地点に移動体が到達したことを検出する開始点検出部である。図３（ａ）において、撮像部１１が撮像した映像信号および音声取得手段１２が収音した音声信号が送信部１３で変調された無線周波信号となり、送信用空中線１４から電波として輻射される。図３（ｂ）においては、開始点検出部１５で予め設定した地点に移動体が到達したことを検出すると、開始信号を無線電波に載せて送信し、映像記録手段３で受信して記録を開始するものか、または開始点検出部１５が検出すると、撮影と送信を開始するものか、の何れでも、記録を開始させることができる。静止画撮影の場合は、開始点検出部１５の検出によって撮影し、その映像データを送信すればよい。なお、図３（ａ）、図３（ｂ）とも音声を必要としない場合は音声取得手段１２を省略することができる（第１の実施の形態）。
【００１８】
図４は本発明の映像記録手段３の回路構成を示すブロック図であり、図４（ａ）は第１、第２の実施の形態を示す基本的な構成、図４（ｂ）は第３の実施の形態を示す電界強度を検出する場合の構成、図４（ｃ）は第４の実施の形態を示す映像を人為的に選択する場合の構成である。図４において、２１は受信用空中線であり、２２は映像撮像手段２からの電波を受信する受信部であり、２３は記録部を制御する記録制御部であり、２４は映像や音声のデータを記録媒体に記録する記録部である。また、図４（ｂ）の２５は受信電波の電界強度が設定値を超えていることを検出する電界強度検出部であり、図４（ｃ）の２６は映像を人為的に選択するための選択操作部である。図４（ａ）において、受信用空中線２１に入力した映像撮像手段２からの電波は受信部２２で受信され、映像音声信号として記録制御部２３の制御のもとで記録部２４でＤＶＤその他の記録媒体に記録される。図４（ｂ）において、電界強度検出部２５が付加されている。図４（ａ）の構成では図１における伝送範囲４の中に映像記録手段３が入ると記録を開始するものであるが、電界が弱いために画質が良くないとか、記録は開始されたものの画像としてはまだ早すぎるとかの問題がある。これに対する対策の一つとして、予め設定された電界強度を超える地域に映像記録手段３が存在する間、映像を記録するということがある。電界強度検出部２５は受信部２２から電界強度信号を得て設定値と比較して設定値を超えたことを検出し、記録制御部２３に通知するものである。また図４（ｃ）は図４（ａ）の構成に対し、選択操作部２６が追加されている。図１において、Ａ〜Ｌの１２カ所の映像撮像手段２で撮影される映像について、記録部２４に記録するか、しないかを移動体搭乗者が判断し、操作するための選択操作部２６である。これを操作することによって、記録制御部２３が記録部２４を制御して、希望する映像のみを記録させる。以上が本発明の映像撮影記録装置の動作の説明である。
【００１９】
なお、以上はテーマパークの例について説明したが、又、観光地において、記念撮影を行う場合等も同様の手段が活用できる。この他に、警察や警備保障企業等のパトロールにおいて、巡回者が映像記録手段３を携帯し、巡回ルートの要所要所に設置された映像撮影手段２で撮影した映像を得て持ち帰り、巡回の証拠とする等の用途もある。なお、必要な場合には、記録する映像音声を暗号化及び圧縮することもできる。被写体が高速移動を行う場合は、撮像部１１ではデータ送信を行う時にビットレートの変換を自動的に行うか、又は、画素を減少させて高速伝送に対応するものである。
【００２０】
【発明の効果】
以上説明したように、本発明は固定の映像撮像手段と、移動体に搭載等した映像記録手段とで構成し、映像記録手段が映像撮像手段に接近したとき映像撮像手段が移動体を撮影し、無線送信し、それを映像記録手段で受信し記録することにより、被撮影者本人に関する映像のみが得られ、従来のように固定のカメラで撮影した多数の映像から被撮影者を特定する作業を必要としないというすぐれた効果を有する映像撮影記録装置を提供することができるものである。
【図面の簡単な説明】
【図１】本発明の映像撮影記録装置の概要を示す図
【図２】本発明の映像撮影記録装置の動作の流れを示すフロー図
【図３】（ａ）本発明の映像撮像手段の第１、第２の実施の形態を示す基本的な回路構成を示すブロック図
（ｂ）本発明の映像撮像手段の第５の実施の形態を示す開始点検出部を備えた回路構成を示すブロック図
【図４】（ａ）本発明の映像記録手段の第１、第２の実施の形態を示す基本的な回路構成を示すブロック図
（ｂ）本発明の映像記録手段の第３の実施の形態を示す電界強度を検出する回路構成を示すブロック図
（ｃ）本発明の映像記録手段の第４の実施の形態を示す映像を人為的に選択する回路構成を示すブロック図
【符号の説明】
１  コース
２  映像撮像手段
３  映像記録手段
４  伝送範囲
１１  撮像部
１２  音声取得手段
１３  送信部
１４  送信用空中線
１５  開始点検出部
２１  受信用空中線
２２  受信部
２３  記録制御部
２４  記録部
２５  電界強度検出部
２６  選択操作部
【図１】
0003685043.tif 000002
【図２】
0003685043.tif 000003
【図３】
0003685043.tif 000004
【図４】
0003685043.tif 000005